(57)【要約】    【課題】  表示装置とともに記録媒体からデータを読込むための読込装置を内蔵した車両用インナーミラーなどの表示機器において、サイズの大型化を防止するレイアウトを提供すること。    【解決手段】  本発明では、車両用インナーミラーなどの表示機器において、本体にミラーと表示装置とを並設するとともに、記録媒体からデータを読込むための読込装置を前記ミラーの後方に配置することにした。特に、既設のインナーミラーに前記ミラー本体を上下反転自在に装着できるようにするとともに、前記ミラー本体に上下を検出するための上下検出センサを設け、この上下検出センサによる検出結果に応じて前記表示装置での表示を上下反転できるように構成した。【選択図】      図１
2006069523.tif 000002
【特許請求の範囲】
【請求項１】
ミラー本体にミラーと表示装置とを並設するとともに、記録媒体からデータを読込むための読込装置を前記ミラーの後方に配置したことを特徴とする車両用インナーミラー。
【請求項２】
前記ミラーに対して前記読込装置の記録媒体挿入口を運転席側に配置する一方、前記ミラーに対して前記表示装置を助手席側に配置したことを特徴とする請求項１に記載の車両用インナーミラー。
【請求項３】
前記読込装置は、前記読込装置の記録媒体挿入口を前記ミラー本体の側部に配置したことを特徴とする請求項１又は請求項２に記載の車両用インナーミラー。
【請求項４】
前記読込装置は、前記記録媒体挿入口を前記ミラー本体の下部に配置したことを特徴とする請求項１又は請求項２に記載の車両用インナーミラー。
【請求項５】
既設のインナーミラーに前記ミラー本体を上下反転自在に装着できるようにするとともに、前記ミラー本体に上下を検出するための上下検出センサを設け、この上下検出センサによる検出結果に応じて前記表示装置での表示を上下反転できるように構成したことを特徴とする請求項１〜請求項４のいずれかに記載の車両用インナーミラー。
【請求項６】
前記ミラーをハーフミラーで構成するとともに、前記表示装置の前方まで延設したことを特徴とする請求項１〜請求項５のいずれかに記載の車両用インナーミラー。
【請求項７】
前記ミラーに所定帯域の光を透過する透光部を形成し、この透光部の後方にリモートコントローラの受信機を配設したことを特徴とする請求項１〜請求項６のいずれかに記載の車両用インナーミラー。
【請求項８】
本体にミラーと表示装置とを並設するとともに、記録媒体からデータを読込むための読込装置を前記ミラーの後方に配置したことを特徴とするミラー付き表示機器。
【発明の詳細な説明】
【技術分野】
【０００１】
本発明は、車両用インナーミラー及びミラー付き表示機器に関するものである。
【背景技術】
【０００２】
車両の運転席周辺には、座席の前方にハンドルや方向指示器などの運転操作部材が配置され、その上部側方に後方確認用のインナーミラーが配置される一方、運転操作部材の下部側方にオーディオ機器が配置されている。
【０００３】
そのため、運転者が運転操作中にオーディオ機器に表示された音楽用記録媒体の再生トラック数やナビゲーションシステムの地図などを確認するときには、視線を下部側方に移動させなければならず、運転操作中に運転者は、前方確認のために視線を前方に向け、後方確認のために視線を上部側方のインナーミラーに向け、さらには、オーディオ機器の確認のために視線を下部側方に向けており、運転操作中に運転者が視線を様々な方向に移動させなければならなかった。
【０００４】
このように、運転操作中に運転者が様々な方向に向けて視線を移動させなければならないと、前方や後方の確認がおろそかになってしまい危険であった。
【０００５】
そこで、近年では、インナーミラーにオーディオ機器などの表示装置を内蔵して、インナーミラーによって後方確認を行うときとほぼ同じ視線で表示装置も目視できるようにしたものが開発されつつある（たとえば、特許文献１参照。)。
【０００６】
特に、近年の電子機器の小型・軽量化に伴って、技術的に見ればインナーミラーの内部に種々の電子機器を内蔵させることが可能になりつつある。
【特許文献１】特開２００１−４７９４０号公報
【発明の開示】
【発明が解決しようとする課題】
【０００７】
ところが、インナーミラーの内部にオーディオ機器などの表示装置の他に音楽データや地図データを記憶した記録媒体からデータを読込むための読込装置などが内蔵されるようになると、その配置によってはインナーミラーのサイズが大型化してしまう。
【０００８】
そして、インナーミラーのサイズが大型化すると、インナーミラーとその背部のフロントガラスや天井壁との隙間が狭くなり、それに伴ってインナーミラーの可動範囲が狭くなってしまい、インナーミラーで後方を良好に確認することができなくなり、危険性が増大するおそれがある。
【０００９】
そのため、本発明では、インナーミラーに表示装置とともに記録媒体からデータを読込むための読込装置を内蔵させた場合に、インナーミラーのサイズが大型化するのを防止することを目的とするものである。
【課題を解決するための手段】
【００１０】
そこで、請求項１に係る本発明では、車両用インナーミラーにおいて、ミラー本体にミラーと表示装置とを並設するとともに、記録媒体からデータを読込むための読込装置を前記ミラーの後方に配置することにした。
【００１１】
また、請求項２に係る本発明では、前記請求項１に係る本発明において、前記ミラーに対して前記読込装置の記録媒体挿入口を運転席側に配置する一方、前記ミラーに対して前記表示装置を助手席側に配置することにした。
【００１２】
また、請求項３に係る本発明では、前記請求項１又は請求項２に係る本発明において、前記読込装置は、前記読込装置の記録媒体挿入口を前記ミラー本体の側部に配置することにした。
【００１３】
また、請求項４に係る本発明では、前記請求項１又は請求項２に係る本発明において、前記読込装置は、前記記録媒体挿入口を前記ミラー本体の下部に配置することにした。
【００１４】
また、請求項５に係る本発明では、前記請求項１〜請求項４のいずれかに係る本発明において、既設のインナーミラーに前記ミラー本体を上下反転自在に装着できるようにするとともに、前記ミラー本体に上下を検出するための上下検出センサを設け、この上下検出センサによる検出結果に応じて前記表示装置での表示を上下反転できるように構成することにした。
【００１５】
また、請求項６に係る本発明では、前記請求項１〜請求項５のいずれかに係る本発明において、前記ミラーをハーフミラーで構成するとともに、前記表示装置の前方まで延設することにした。
【００１６】
また、請求項７に係る本発明では、前記請求項１〜請求項６のいずれかに係る本発明において、前記ミラーに所定帯域の光を透過する透光部を形成し、この透光部の後方にリモートコントローラの受信機を配設することにした。
【００１７】
また、請求項８に係る本発明では、ミラー付き表示機器において、本体にミラーと表示装置とを並設するとともに、記録媒体からデータを読込むための読込装置を前記ミラーの後方に配置することにした。
【発明の効果】
【００１８】
そして、本発明では、以下に記載する効果を奏する。
【００１９】
すなわち、請求項１に係る本発明では、車両用インナーミラーにおいて、ミラー本体にミラーと表示装置とを並設するとともに、記録媒体からデータを読込むための読込装置をミラーの後方に配置しているために、表示装置と読込装置とが重ねて配置されることがなく、車両用インナーミラーに表示装置と読込装置とを内蔵させたときの車両用インナーミラーの大型化を防止することができる。
【００２０】
また、請求項２に係る本発明では、ミラーに対して読込装置の記録媒体挿入口を運転席側に配置する一方、ミラーに対して表示装置を助手席側に配置しているために、運転者が運転席から記録媒体を読込装置に容易に挿入することができるとともに、ミラーによる後方確認時に表示装置が邪魔になることがなく安全に後方確認を行うことができる。
【００２１】
また、請求項３に係る本発明では、読込装置の記録媒体挿入口をミラー本体の側部に配置しているために、ミラー本体の側方から記録媒体を読込装置に容易に挿入することができる。
【００２２】
また、請求項４に係る本発明では、記録媒体挿入口をミラー本体の下部に配置しているために、ミラー本体の下方から記録媒体を読込装置に容易に挿入することができる。
【００２３】
また、請求項５に係る本発明では、既設のインナーミラーにミラー本体を上下反転自在に装着できるようにするとともに、ミラー本体に上下を検出するための上下検出センサを設け、この上下検出センサによる検出結果に応じて表示装置での表示を上下反転できるように構成しているために、車両の右側に運転席を設けた右ハンドル車であっても或いは車両の左側に運転席を設けた左ハンドル車であっても、同一の車両用インナーミラーを既設のインナーミラーに装着することができる。
【００２４】
また、請求項６に係る本発明では、ミラーをハーフミラーで構成するとともに、表示装置の前方まで延設することにしているために、表示装置の前方においてミラーとしての機能と表示装置としての機能が両立され、ミラーとしての面積を拡大することができる。
【００２５】
また、請求項７に係る本発明では、ミラーに所定帯域の光を透過する透光部を形成し、この透光部の後方にリモートコントローラの受信機を配設することにしているために、受信機の前方においてミラーとしての機能と受光部としての機能が両立され、ミラーとしての面積を拡大することができる。
【００２６】
また、請求項８に係る本発明では、ミラー付き表示機器において、本体にミラーと表示装置とを並設するとともに、記録媒体からデータを読込むための読込装置をミラーの後方に配置することにしているために、表示装置と読込装置とが重ねて配置されることがなく、表示機器に表示装置と読込装置とを内蔵させたときの表示機器の大型化を防止することができる。
【発明を実施するための最良の形態】
【００２７】
本発明は、本体にミラーと表示装置とを並設するとともに、記録媒体からデータを読込むための読込装置をミラーの後方に配置した機器に適用できるものであり、たとえば、車両用のインナーミラーや、デジタル音源の音響機器などの表示機器に適用できるものである。
【００２８】
以下の説明では、本発明の実施形態として車両用のインナーミラーを例にとり説明する。
【００２９】
本発明に係る車両用インナーミラーは、ミラー本体にミラーと表示装置とを左右に並べて配置するとともに、メモリーカードやハードディスクなどの記録媒体から音楽や地図などのデータを読込むための読込装置をミラーの直後方（裏側）に配置したものである。
【００３０】
このように、車両用インナーミラーのミラー本体に表示装置と読込装置とを内蔵させたときに、ミラーの右側又は左側に表示装置を配置するとともに、ミラーの裏側に読込装置を配置しているために、ミラー本体の内部において表示装置と読込装置とが前後に重なって配置されることがなくなり、車両用インナーミラーの厚みの増大を防止することができるので、車両用インナーミラーの大型化を防止することができる。
【００３１】
そして、車両用インナーミラーの大型化を防止することができるので、車両用インナーミラーとフロントガラスや天井壁との隙間を確保することができ、これによって、車両用インナーミラーの可動範囲を十分に確保することができて安全性を向上させることができる。
【００３２】
特に、ミラーに対して読込装置の記録媒体挿入口を運転席側に配置した場合には、運転者が運転席から記録媒体を読込装置に容易に挿入することができ、さらに、ミラーに対して表示装置を助手席側に配置した場合には、表示装置よりもミラーのほうが運転者の近くに位置することになり、ミラーによる後方確認時に表示装置が邪魔になることがなくミラーによって安全に後方確認を行うことができ、また、表示装置を目視するときにもミラーと表示装置とが近接しているために、運転者の視線の移動距離を短くすることができ、ミラーによる後方確認時に併せて表示装置を目視することもできる。
【００３３】
また、読込装置の記録媒体挿入口をミラー本体の側部に配置した場合には、ミラー本体の側方から記録媒体を読込装置に容易に挿入することができる。この場合、記録媒体挿入口をミラー本体の運転席側の側部に配置した場合には、運転席側から運転者が容易に記録媒体を読込装置に挿入したり記録媒体を読込装置から取外すことができ、一方、記録媒体挿入口をミラー本体の助手席側の側部に配置した場合には、助手席に着座する者が助手席側から容易に記録媒体を読込装置に挿入したり記録媒体を読込装置から取外すことができる。
【００３４】
また、記録媒体挿入口をミラー本体の下部に配置した場合には、運転席側及び助手席側のいずれ側からも容易にミラー本体の下方で記録媒体を読込装置に挿入したり記録媒体を読込装置から取外すことができる。
【００３５】
また、既設のインナーミラーにミラー本体を上下反転自在に装着できるようにするとともに、ミラー本体に上下を検出するための上下検出センサを設け、この上下検出センサによる検出結果に応じて表示装置での表示を上下反転できるように構成した場合には、車両の右側に運転席を設けた右ハンドル車であっても或いは車両の左側に運転席を設けた左ハンドル車であっても、同一の車両用インナーミラーを既設のインナーミラーに装着することができ、同一形態の車両用インナーミラーだけを量産すれば左右ハンドル車の両方ともに対応することができ、量産効果によるコストダウンを図ることができる。
【００３６】
また、ミラーをハーフミラーで構成するとともに、表示装置の前方まで延設した場合には、表示装置の前方においてミラーとしての機能と表示装置としての機能が両立され、ミラーとしての面積を拡大することができる。
【００３７】
また、ミラーに所定帯域の光を透過する透光部を形成し、この透光部の後方にリモートコントローラの受信機を配設した場合には、受信機の前方においてミラーとしての機能と受光部としての機能が両立され、ミラーとしての面積を拡大することができる。
【００３８】
以下に、本発明に係る車両用インナーミラーの具体的な構造について図面を参照しながら説明する。なお、以下の説明では、車両用インナーミラーが右ハンドル車の運転席と助手席との間の天井部に取付けられているものとする。
【００３９】
車両用インナーミラー１は、図１〜図３に示すように、車両の天井壁に基端部を取付けた支持体２の先端部に略矩形板状のミラー本体３の背面中央部を変位自在に取付けている。
【００４０】
この車両用インナーミラー１は、ミラー本体３の内部にミラー４と表示装置５と読込装置６と制御装置７とを内蔵している。
【００４１】
ここで、表示装置５は、たとえば液晶表示装置であり、画像や文字などを表示する装置であり、読込装置６は、たとえばカードリーダであり、記録媒体８に記憶されている音楽データや地図データなどを読込むための装置であり、制御装置７は、たとえば、ワンチップマイクロコンピュータであり、表示装置５や読込装置６の動作を制御するための装置である。
【００４２】
そして、車両用インナーミラー１は、ミラー本体３の右側前部にミラー４を配置し、このミラー４の後方であってミラー本体３の右側部に読込装置６を配置するとともに、ミラー４の後方であってミラー本体３の中央部に制御装置７を配置し、一方、ミラー本体３の左側部に表示装置５を配置している。
【００４３】
ここで、表示装置５にはたとえば表示用の液晶やバックライトや信号処理基板などが内蔵されているために、読込装置６や制御装置７よりも表示装置５のほうが厚みが厚くなっている。そのため、比較的厚みの薄い読込装置６や制御装置７をミラー４の後方に配置してもミラー本体３の内部に良好に配設することができる。
【００４４】
また、車両用インナーミラー１は、ミラー本体３の右側部に読込装置６の記録媒体挿入口９を形成している。なお、記録媒体挿入口９は、読込装置６の下部に形成することによってミラー本体３の右側下部に形成することもでき、また、読込装置６と制御装置７との位置を交換してミラー本体３の中央下部に形成することもできる。
【００４５】
このように、上記構成の車両用インナーミラー１では、ミラー４と表示装置５とを並設するとともに、ミラー４の裏側に読込装置６を配置している。
【００４６】
そのため、車両用インナーミラー１では、ミラー本体３の内部において表示装置５と読込装置６とが前後に重なって配置されることがなくなり、車両用インナーミラー１の厚みの増大を防止することができるので、車両用インナーミラー１の大型化を防止することができる。このように車両用インナーミラー１の大型化を防止することができると、車両用インナーミラー１とフロントガラスや天井壁との隙間を確保することができるので、車両用インナーミラー１の可動範囲を十分に確保することができて安全性を向上させることができる。
【００４７】
また、上記構成の車両用インナーミラー１では、ミラー４に対して読込装置６の記録媒体挿入口９を運転席側に配置する一方、ミラー４に対して表示装置５を助手席側に配置している。
【００４８】
そのため、車両用インナーミラー１では、運転者が運転席から記録媒体８を読込装置６に容易に挿入したり記録媒体８を読込装置６から容易に取外すことができるとともに、表示装置５よりもミラー４のほうが運転者の近くに位置することになり、ミラー４による後方確認時に表示装置５が邪魔になることがなくミラー４によって安全に後方確認を行うことができ、また、表示装置５を目視するときにもミラー４と表示装置５とが近接しているために、運転者の視線の移動距離を短くすることができ、ミラー４による後方確認時に併せて表示装置５を目視することもできる。
【００４９】
上記構成の車両用インナーミラー１では、車両に直接取付ける構造としているが、車両に既に取り付けられているインナーミラーに後から装着できるようにした構造とすることもできる。
【００５０】
すなわち、図４〜図７に示すように、車両用インナーミラー10は、車両の天井壁に取付けられた既設のインナーミラー11に後付けできるようにしたものであり、略矩形板状のミラー本体12の背面に左右一対の上下動可能な取付片13,14を取付け、上下の取付片13,14で既設のインナーミラー11を挟持するようにしている。このとき、車両用インナーミラー10は、上下の取付片13,14によって既設のインナーミラー11を挟持させるだけで既設のインナーミラー11に装着できるので、上下反転させても同じように既設のインナーミラー11に装着できるようになっている。
【００５１】
この車両用インナーミラー10は、上記構成の車両用インナーミラー１と同様に、ミラー本体12の内部にミラー15と表示装置16と読込装置17と制御装置18とを内蔵し、さらに、ミラー本体12の上下の状態を検出するための上下検出センサ19をもミラー本体12に内蔵している。この上下検出センサ19は、制御装置18に接続されている。
【００５２】
そして、車両用インナーミラー10は、ミラー本体12の右側前部にミラー15を配置し、このミラー15の後方であってミラー本体12の右側部に読込装置17を配置するとともに、ミラー15の後方であってミラー本体12の中央部に制御装置18と上下検出センサ19を配置し、一方、ミラー本体12の左側部に表示装置16を配置している。
【００５３】
また、車両用インナーミラー10は、ミラー本体12の右側部に読込装置17へ記録媒体20を挿入するための記録媒体挿入口21を形成している。
【００５４】
この車両用インナーミラー10では、上下検出センサ19によってミラー本体12が既設のインナーミラー11に上下いずれの状態で装着されているかを検出し、その検出結果に基づいて制御装置18で表示装置16の表示方法を変更するようにしている。
【００５５】
すなわち、車両用インナーミラー10は、上下検出センサ19によって表示装置16がミラー15よりも左側（図４と同じ向き）に位置する状態で既設のインナーミラー11に装着されていることを検出した場合には、制御装置18によって表示装置16の上側から画像を走査させて、正面視で表示装置16に通常通りの画像が表示されるようにし、一方、上下検出センサ19によって表示装置16がミラー15よりも右側（図４と左右逆向き）に位置する状態で既設のインナーミラー11に装着されていることを検出した場合には、制御装置18によって表示装置16の下側から画像を走査させて、正面視で表示装置16に通常通りの画像が表示されるようにして、いずれの場合であっても表示装置16に通常通りの画像が表示されるようにしている。
【００５６】
このように、上記構成の車両用インナーミラー10では、既設のインナーミラー11にミラー本体12を上下反転自在に装着できるようにするとともに、ミラー本体12に上下を検出するための上下検出センサ19を設け、この上下検出センサ19による検出結果に応じて表示装置16での表示を上下反転できるように構成している。
【００５７】
そのため、車両用インナーミラー10では、右ハンドル車であっても左ハンドル車であっても同一の車両用インナーミラー10を既設のインナーミラー11に装着することができ、同一形態の車両用インナーミラー10だけを量産すれば左右ハンドル車の両方ともに対応することができ、量産効果によるコストダウンを図ることができる。
【００５８】
上記構成の車両用インナーミラー1,10では、表示装置5,16の前方にミラー4,15を配置しない構造としているが、ミラーの側部を表示装置の前方まで延設した構造とすることもできる。
【００５９】
すなわち、図８に示すように、車両用インナーミラー22は、上記構成の車両用インナーミラー1,10と同様に、ミラー本体23の内部にミラー24と表示装置25と読込装置26と制御装置27とを内蔵し、さらに、制御装置27を遠隔操作するリモートコントローラの制御信号を受信するための受信機28をもミラー本体23に内蔵している。この受信機28は、制御装置27に接続されている。
【００６０】
そして、車両用インナーミラー22は、ミラー本体23の前部に前方からの光を反射するとともに後方からの光を透過するハーフミラー（ミラー24）を配置し、このミラー24の後方であってミラー本体23の右側部に読込装置26を配置するとともに、ミラー24の後方であってミラー本体23の中央部に制御装置27と受信機28を配置し、さらに、ミラー24の後方であってミラー本体23の左側部に表示装置25を配置している。
【００６１】
また、車両用インナーミラー22は、ミラー本体23の右側部に読込装置26へ記録媒体29を挿入するための記録媒体挿入口30を形成している。
【００６２】
さらに、車両用インナーミラー22は、ミラー24の中央上部に所定帯域の光（ここでは、赤外線。）だけを透過する矩形状の透光部31を形成し、この透光部31の裏側に受信機28を配置している。
【００６３】
このように、車両用インナーミラー22では、ミラー24をハーフミラーで構成するとともに、表示装置25の前方側までミラー24の右側部を延設している。
【００６４】
そして、この車両用インナーミラー22では、表示装置25を点灯させた場合には、その表示内容がミラー24を透過して表示され、一方、表示装置25を消灯させた場合には、外部の光がミラー24で反射されるようになっている。
【００６５】
そのため、この車両用インナーミラー22では、ミラー24を表示装置25の前方まで延設しているにもかかわらず、表示装置25の前方においてミラー24としての機能と表示装置25としての機能が両立され、表示装置25の前方まで延設した分だけミラー24の面積を拡大させることができる。特に、表示装置25に映像信号の入力がない場合に、黒を基調とする背景色にすることによって、表示装置25が起動しているときでもミラー24としての視認性を向上させることができる。
【００６６】
また、車両用インナーミラー22では、ミラー24に所定帯域の光を透過する透光部31を形成し、この透光部31の後方にリモートコントローラの受信機28を配設しており、リモートコントローラから放射された赤外線はミラー24を通過して受信機28で受光され、一方、通常の光はミラー24で反射されるようになっている。
【００６７】
そのため、この車両用インナーミラー22では、ミラー24の後方に受信機28を配置しているにもかかわらず、受信機28の前方においてミラー24としての機能と受光部としての機能が両立され、透光部31を形成した分だけミラー24の面積を拡大することができる。
【図面の簡単な説明】
【００６８】
【図１】本発明に係る車両用インナーミラーを示す正面図。
【図２】同右側面図。
【図３】同内部ブロック図。
【図４】本発明に係る他の車両用インナーミラーを示す正面図。
【図５】同右側面図。
【図６】同背面図。
【図７】同内部ブロック図。
【図８】本発明に係る他の車両用インナーミラーを示す内部ブロック図。
【符号の説明】
【００６９】
1,10,22  車両用インナーミラー
２  支持体
3,12,23  ミラー本体
4,15,24  ミラー
5,16,25  表示装置
6,17,26  読込装置
7,18,27  制御装置
8,20,29  記録媒体
9,21,30  記録媒体挿入口
11  既設のインナーミラー
13,14  取付片
19  上下検出センサ
28  受信機
31  透光部
【図１】
2006069523.tif 000003
【図２】
2006069523.tif 000004
【図３】
2006069523.tif 000005
【図４】
2006069523.tif 000006
【図５】
2006069523.tif 000007
【図６】
2006069523.tif 000008
【図７】
2006069523.tif 000009
【図８】
2006069523.tif 000010